(57)【要約】【課題】手足部の太さに合わせて開口部の大きさを調整でき、ケア用の液体を注入するための注入口を封鎖するだけで内部空間を密閉でき、液体と外気との接触を少なくして衛生を保ち、開口部を開きやすく着脱が容易な手足ケア用防水パックを提供すること。【解決手段】吸水層２４と、吸水層２４の外面全面に貼り合わせた防水層２５とから成る複合層２を素材として、内部空間に手又は足とケア用の液体とを収容可能な袋状に形成され、周縁の一部に内部空間へ手足を出し入れするための開口部となる切り開き可能部２１が設けられ、切り開き可能部２１の一側に隣接して液体を内部空間へ注入するための注入口２２が設けられる。【選択図】図２
0003153315.tif 000002
【実用新案登録請求の範囲】
【請求項１】
吸水層と、該吸水層の外面全面に貼り合わせた防水層とから成る複合層を素材として、内部空間に手又は足とケア用の液体とを収容可能な袋状に形成され、周縁の一部に前記内部空間へ手足を出し入れするための開口部となる切り開き可能部が設けられ、該切り開き可能部の一側に前記液体を前記内部空間へ注入するための注入口が設けられたことを特徴とする、手足ケア用防水パック。
【請求項２】
前端または後端を延長して、前端部又は後端部を折り曲げた状態で固定する固定部材を一体に設けたことを特徴とする、請求項１に記載の手足ケア用防水パック。
【請求項３】
前記固定部材に図案を設けたことを特徴とする、請求項２に記載の手足ケア用防水パック。
【請求項４】
前記固定部材の一面に粘着部材又は面ファスナを設けたことを特徴とする、請求項２に記載の手足ケア用防水パック。
【請求項５】
足部形状又は手部形状の袋状に形成してあることを特徴とする、請求項１に記載の手足ケア用防水パック。
【請求項６】
前記切り開き可能部の近傍を延ばして、前記開口部を折り縮めた状態で固定する第２固定部材を一体に設けたことを特徴とする、請求項１に記載の手足ケア用防水パック。
【考案の詳細な説明】
【技術分野】
【０００１】
本考案は、手足に被せてパックを行なうのに用いる手足ケア用防水パックに関する。
【背景技術】
【０００２】
従来、フットケアおよびハンドケアのために手足に被せるカバーが知られている。
例えば、特許文献１に記載のものは、図１に示すように、少なくとも１つの吸水性の繊維質内層１０と高分子重合材質外層１１を備え、高分子重合材質外層１１の防水性を利用して繊維質内層１０に含ませたスキンケア液が外部に漏れて汚すことがないようにしてある。さらに、繊維質内層１０は高分子重合材質外層１１の内側に設けられており、かつ高分子重合材質外層１１上部は繊維質内層１０の上端よりやや長く突出し、長さの差を利用してカバーを開けるようになっている。
【０００３】
このカバーは、製造時に繊維質内層１０と高分子重合材質外層１１の辺縁を結合させて手足の形状にしてあり、繊維質内層１０は辺縁だけが高分子重合材質外層１１と結合され、全面的に貼り合わせられてはいないため、内外両層の間に間隙がある。
また、カバーは足部に密着させるための部材を備えていないため、足部を移動させるとき外れたり、液体が漏れ出たりする。さらに、カバーは両層間に間隙のある内外二層で形成されているため、足部を入れる際にはきにくくて不便であり、かつ開口箇所が非常に大きいため、液体注入後、大きな範囲の開口箇所を封鎖しなければ完全に密封することができず、着用に時間がかかる。また、液体を収容する内部空間と外気との接触面積が大きいため衛生面の問題もある。
【０００４】
特許文献２に記載された手足部の膜状カバーは、内外層に分かれており、内層膜はコットン布製の手足心部と手足背部を備え、あらかじめ栄養液に浸して吸収させてある。外層カバー体は隔離性のコロイドから成り、外層カバー体の開口端には収束構造が設けられる。内外層を備えたカバーに手足部を入れた後、外層カバー体の収束構造で内層膜を隔離して封鎖し、内層膜を封鎖することで皮膚温度を上昇させ、毛穴を開かせて皮膚の新陳代謝と内層膜が含有する栄養液の吸収を促進する。
しかしながら、この収束構造は別途に成形してから外層カバー体上に取り付けられており、一体成形されていないため、製造上比較的複雑であり、かつ製造コストも高く、生産効率が低くなり、産業的競争力が低下する。また、耐用性も強化が必要である。
さらに、手足部を入れる開口部分を完全に密閉することができず、衛生面でも検討が必要である。
【先行技術文献】
【特許文献】
【０００５】
【特許文献１】登録実用新案第3128528号明細書
【特許文献２】登録実用新案第3108625号明細書
【考案の概要】
【考案が解決しようとする課題】
【０００６】
本考案が解決しようとする課題は、手足部の太さに合わせて開口部の大きさを調整でき、ケア用の液体を注入するための注入口を封鎖するだけで内部空間を密閉でき、液体と外気との接触を少なくして衛生を保ち、開口部を開きやすく着脱が容易な手足ケア用防水パックを提供することにある。
【課題を解決するための手段】
【０００７】
本考案の手足ケア用防水パックは、吸水層と、該吸水層の外面全面に貼り合わせた防水層とから成る複合層を素材として、内部空間に手又は足とケア用の液体とを収容可能な袋状に形成され、周縁の一部を、前記内部空間へ手足を出し入れするための開口部となる切り開き可能部とし、該切り開き可能部の一側に前記液体を前記内部空間へ注入するための注入口が設けられている。
【０００８】
前端または後端を延長して、前端部又は後端部を折り曲げた状態で固定するための固定部材を一体に設けても良い。
この時、前記固定部材に図案を設けたり、前記固定部材の一面に粘着部材又は面ファスナを設けたりできる。
足部形状又は手部形状の袋状に形成すると良い。
前記切り開き可能部の近傍を延ばして、前記開口部を折り縮めた状態で固定するための第２固定部材を一体に設けても良い。
【考案の効果】
【０００９】
請求項１に係る考案によれば、液体を注入してから注入口を封鎖するだけで内部空間を密封することができるので、液漏れが防止されて携帯しやすいばかりか、内部空間及びここに収容した液体の外気に対する接触を少なくして衛生を保つことが可能である。
また、手足の太さに合わせて開口部の大きさを簡単に調整でき、身動きしても外れたり、液体が漏れ出す心配がない。
さらに、吸水層と防水層が全面に亘って緊密に貼り合わせてあるため、着用して歩行する場合等に、摩擦で液体の漏れ出しが発生せず、開口部を開きやすく着用も容易である。
【００１０】
請求項２〜４に係る考案によれば、大きさを調整して足部或いは手部に密着させ、フィット感を与え、手足を動かしやすくする。また、固定部材は袋状の部分を延長して一体形成してあるので外れにくい。
請求項５に係る考案によれば、意匠的効果或いは宣伝効果を高めることができる。
請求項６に係る考案によれば、複数箇所で大きさを調節できるので、いっそう手足部にフィットさせやすく、開口部を手足部に密着させやすい。
【図面の簡単な説明】
【００１１】
【図１】従来例を示す手足用カバーの斜視図である。
【図２】本考案の実施例１を示す手足ケア用防水パックの側面図である。
【図３】本考案の実施例１を示す手足ケア用防水パックの液体注入時における側面図である。
【図４】本考案の実施例１を示す手足ケア用防水パックの液体収容時における側面図である。
【図５】本考案の実施例１を示す手足ケア用防水パックの使用時における側面図である。
【図６】本考案の実施例２を示す手足ケア用防水パックの側面図である。
【図７】本考案の実施例３を示す手足ケア用防水パックの側面図である。
【図８】本考案の実施例４を示す手足ケア用防水パックの側面図である。
【図９】本考案の実施例４を示す手足ケア用防水パックの使用時における側面図である。
【考案を実施するための形態】
【００１２】
以下、本考案の実施例を図面に基づいて詳細に説明する。
図２〜図５は本考案の実施例１を示す。
図２に示すように、本実施例の手足ケア用防水パック２０は、足部をカバーするものであり、素材である複合層２の辺縁の相接箇所を熱融着、高周波溶接、超音波溶接等で接合して、内部空間に足部及びケア用の液体を収容可能な足部形状の袋状に形成して成る。
複合層２は吸水層２４の外面全面に防水層２５を貼り合わせて形成され、吸水層２４は液体を吸収して含むことができ、かつ防水層２５が吸水層２４表面に緊密に貼り合わせられ、歩いたときの摩擦で液体が漏れ出るのを防ぐことができる。
【００１３】
手足ケア用防水パック２０の周縁の一部には、内部空間に足部を出し入れするための開口部２１’となる切り開き可能部２１が設けられ、切り開き可能部２１の一側（本実施例では後側）に隣接して内部空間に液体を注入するための注入口２２が形成されている。
また、手足ケア用防水パック２０の前端または後端（本実施例では後端）を延長して固定部材２３が一体に設けられる。固定部材２３のいずれか一面には粘着部材又は面ファスナが装着され、手足ケア用防水パック２０の前端部または後端部（本実施例では後端部）を折り畳んだ後、固定部材２３を手足ケア用防水パック２０の外面に貼り付けて固定することができる。
さらに、固定部材２３には、メーカーのロゴや任意模様の図案２３１を設けることができる。
【００１４】
この手足ケア用防水パック２０は次のように使用される。
この手足ケア用防水パック２０を購入した化粧品メーカー等は、図３及び図４に示すように、ケア用の液体３を注入口２２から手足ケア用防水パック２０の内部に注入して、吸水層２４に液体３を吸収させる。
液体３の注入完了後、注入口２２を超音波等で封鎖して内部空間を密封する。従って、液漏れを起こさず、運搬や携帯に便利であり、液体３が空気と接触しにくくて、液体３及び手足ケア用防水パック２０の内部空間が衛生的に維持される。
【００１５】
パックを行なう時は、図５に示すように、切り開き可能部２１を鋏、ナイフ等で適当な大きさだけ切り開いて開口部２１’を形成し、開口部２１’を通して手足ケア用防水パック２０の内部空間に足部４を入れる。
切り開き可能部２１を切る時には、開口部２１’の大きさを足部４の太さ（踝部分の太さ）に合わせて隙間を無くし、液体３が外部に漏れ出ないようにすると共に、手足ケア用防水パック２０が脱げるのを防ぐ。
【００１６】
手足ケア用防水パック２０が足部４に対して大きすぎる場合には、固定部材２３が形成された端部（本実施例では後端部）を足部４の大きさに合わせて折り畳み、固定部材２３を手足ケア用防水パック２０の外面に貼り付けて固定する。
これにより、手足ケア用防水パック２０が足部４にフィットし、歩行しやすくなると共に、歩行時に液体３が漏れ出しにくくなる。
勿論、手足ケア用防水パック２０の前端部に固定部材２３を設けることも、切り開き可能部２１の前側に隣接して注入口２２を設けることもできる。
【００１７】
図６は本考案の実施例２を示す。
手足ケア用防水パック２０ａは、複合層２ａを素材として五本指の手部の形状としてある。手足ケア用防水パック２０ａの手首側に切り開き可能部２１ａが設けられ、切り開き可能部２１ａの一側に隣接して注入口２２ａが設けられると共に、切り開き可能部２１ａの他側に固定部材２３ａが設けられる。
手足ケア用防水パック２０ａの内部空間に注入口２２ａから液体３ａを注入し、その後、注入口２２ａを封鎖して、吸水層２４に液体３ａを吸収させる。
パックを行なう際には、切り開き可能部２１ａを切り開いて開口部を形成し、この開口部から手足ケア用防水パック２０ａの内部空間に手を入れ、手袋のように装着する。開口部の大きさは手首の太さに合わせておく。
さらに、必要であれば、手足ケア用防水パック２０ａの他側端部を折り畳んで固定部材２３ａで固定し、手部にフィットさせる。
その他の構造は実施例１と同様である。
【００１８】
図７は本考案の実施例３を示す。
本実施例の手足ケア用防水パック２０ｂは、複合層２ｂを素材として、親指と他の四指とに分かれた手部形状の袋状としてある。手足ケア用防水パック２０ｂの手首側に切り開き可能部２１ｂが設けられ、切り開き可能部２１ｂの一側に隣接して液体３ｂを注入するための注入口２２ｂが設けられると共に、切り開き可能部２１ｂの他側に固定部材２３ｂが設けられる。
その他の構造及び使用方法は、実施例２と変わるところは無い。
【００１９】
図８及び図９は本考案の実施例４を示す。
本実施例の手足ケア用防水パックは、実施例１とほぼ同様の構造を有するが、切り開き可能部２１ｃの近傍を延ばして、開口部２１ｃ’を折り縮めた状態で固定する第２固定部材２６が設けられる。
第２固定部材２６は固定部材２３ｃから離れた箇所（切り開き可能部２１ｃの前側）に設けられ、開口部２１ｃ’から足部４ａを手足ケア用防水パックに入れた後、足部４ａの前後において手足ケア用防水パックを折り畳み、固定部材２３ｃ、第２固定部材２６により固定して、いっそう足部４ａにフィットさせることができる。
【符号の説明】
【００２０】
１０      繊維質内層
１１      高分子重合材質外層
２、２ａ、２ｂ    複合層
２０      手足ケア用防水パック
２１、２１ａ、２１ｂ、２１ｃ    切り開き可能部
２１’、２１ｃ’  開口部
２２、２２ａ、２２ｂ    注入口
２３、２３ａ、２３ｂ、２３ｃ、２６    固定部材
２３１    図案
２４      吸水層
２５      防水層
３、３ａ、３ｂ    液体
４、４ａ    足部
【図１】
0003153315.tif 000003
【図２】
0003153315.tif 000004
【図３】
0003153315.tif 000005
【図４】
0003153315.tif 000006
【図５】
0003153315.tif 000007
【図６】
0003153315.tif 000008
【図７】
0003153315.tif 000009
【図８】
0003153315.tif 000010
【図９】
0003153315.tif 000011
【手続補正書】
【提出日】平成21年6月30日(2009.6.30)
【手続補正１】
【補正対象書類名】明細書
【補正対象項目名】０００８
【補正方法】変更
【補正の内容】
【０００８】
前記手足ケア用防止パックの前端または後端を延長して、該手足ケア用防水パックの前端部又は後端部を折り曲げた状態で固定するための固定部材を一体に設けても良い。
この時、前記固定部材に図案を設けたり、前記固定部材の一面に粘着部材又は面ファスナを設けたりできる。
足部形状又は手部形状の袋状に形成すると良い。
前記切り開き可能部の近傍を延ばして、前記開口部を折り縮めた状態で固定するための第２固定部材を一体に設けても良い。
【手続補正２】
【補正対象書類名】実用新案登録請求の範囲
【補正対象項目名】全文
【補正方法】変更
【補正の内容】
【実用新案登録請求の範囲】
【請求項１】
吸水層と、該吸水層の外面全面に貼り合わせた防水層とから成る複合層を素材として、内部空間に手又は足とケア用の液体とを収容可能な袋状に形成され、周縁の一部に前記内部空間へ手足を出し入れするための開口部となる切り開き可能部が設けられ、該切り開き可能部の一側に前記液体を前記内部空間へ注入するための注入口が設けられたことを特徴とする、手足ケア用防水パック。
【請求項２】
前記手足ケア用防止パックの前端または後端を延長して、該手足ケア用防水パックの前端部又は後端部を折り曲げた状態で固定する固定部材を一体に設けたことを特徴とする、請求項１に記載の手足ケア用防水パック。
【請求項３】
前記固定部材に図案を設けたことを特徴とする、請求項２に記載の手足ケア用防水パック。
【請求項４】
前記固定部材の一面に粘着部材又は面ファスナを設けたことを特徴とする、請求項２に記載の手足ケア用防水パック。
【請求項５】
足部形状又は手部形状の袋状に形成してあることを特徴とする、請求項１に記載の手足ケア用防水パック。
【請求項６】
前記切り開き可能部の近傍を延ばして、前記開口部を折り縮めた状態で固定する第２固定部材を一体に設けたことを特徴とする、請求項１に記載の手足ケア用防水パック。